(57)【特許請求の範囲】
【請求項１】
ズーム駆動用モータによって撮影レンズの移動レンズ系を光軸に沿って前後に駆動してズーム動作を行う撮影レンズの駆動装置において、
ズーム動作方向及びズームスピードの操作を行う第１の操作手段と、
予め定められた所定のズームスピードにより前記撮影レンズの移動レンズ系をワイド端又はテレ端まで移動させるズーム動作の実行／解除操作を行う第２の操作手段と、
第２の操作手段が実行操作された時点のズーム位置を記憶する記憶手段と、
前記第２の操作手段の実行操作に基づいて前記撮影レンズの移動レンズ系をワイド端又はテレ端まで移動させる実行手段と、
前記第２の操作手段の解除操作に基づいて撮影レンズの移動レンズ系を前記記憶手段で記憶したズーム位置に復帰させる復帰手段と、
前記第１の操作手段の操作を前記第２の操作手段の操作よりも優先させる優先手段と、
を備えたことを特徴とする撮影レンズの駆動装置。
【請求項２】
ズーム最大速度を設定する設定手段と、
前記設定手段で設定されたズーム最大速度を上限として前記第１の操作手段の操作に応じてズームスピードを調整するとともに、前記第２の操作手段の実行／解除操作に基づくズーム動作時には前記設定手段の設定を解除して、前記所定のズームスピードでズーム動作させるようにズームスピードを調整するズーム速度調整手段と、
を備えたことを特徴とする請求項１の撮影レンズの駆動装置。
【請求項３】
第１の操作手段は、揺動自在なシーソースイッチから成り、該シーソースイッチの操作方向によってズーム動作方向を指示するとともに、シーソースイッチの操作量によってズームスピードを指示するように構成され、
第２の操作手段は、ボタン式スイッチから成り、該ボタン式スイッチの押圧操作によって前記所定のズーム動作方向及び所定のズームスピードによるズーム動作が実行され、ボタン式スイッチの押圧解除によって前記復帰手段による復帰動作が実行されるようにしたことを特徴とする請求項１の撮影レンズの駆動装置。
【請求項４】
前記第２の操作手段の操作部材は、他の機能に関するスイッチ手段の操作部材と兼用され、この操作部材を前記第２の操作手段として使用する状態と前記他の機能のスイッチ手段として使用する状態とを択一的に切り替える切替手段を備えたことを特徴とする請求項１の撮影レンズの駆動装置。
【発明の詳細な説明】
【０００１】
【発明の属する技術分野】
本発明は撮影レンズの駆動装置に係り、特に、ＥＮＧカメラ等に用いられるズームレンズを駆動操作する撮影レンズの駆動装置に関する。
【０００２】
【従来の技術】
ＥＮＧカメラの場合、レンズ鏡胴側部にドライブユニットと呼ばれるレンズ駆動装置が取り付けられる。このドライブユニットには、フォーカス駆動用モータ、ズーム駆動用モータ、アイリス駆動用モータ等が配置され、各モータの回転駆動力はギヤ伝達機構を介してレンズ鏡胴のフォーカスリング、ズームリング、アイリスリングに伝達されるようになっている。
【０００３】
カメラマンがＥＮＧカメラを肩に乗せて撮影を行う場合、ドライブユニットの側部に設けられたグリップバンドの中に右手の親指以外の４本の指を挿入してレンズ鏡胴を保持し、左手でレンズ先端部のフォーカスリングを握って手動フォーカス操作を行うとともに、右手の人差し指と中指（又は薬指）でズームシーソーコントロールスイッチ（以下、シーソースイッチと略記する。）の操作を行い、右手親指でＶＴＲスイッチのＯＮ／ＯＦＦの操作を行うようになっている。
【０００４】
また、ＶＴＲスイッチの近傍にボタン式のスイッチ手段（操作ボタン）が設けられ、この操作ボタンを右手の親指で押圧操作すると、ズームがテレ端（又はワイド端）に向かう方向に作動し、操作ボタンの押圧を解除すると元のズーム位置（ボタンを押す前のズーム位置）に戻るように構成されたズーム操作機能を具備したドライブユニットも知られている。かかる機能を、本明細書ではクイックズームと呼ぶことにする。
【０００５】
【発明が解決しようとする課題】
しかしながら、ズーム操作においてクイックズームの操作ボタン（以下、クイックズームスイッチという。）とシーソースイッチとはいわゆる後押し優先に構成されており、シーソースイッチでズーミング中にクイックズームスイッチを誤って押してしまうと、クイックズームが作動するという問題がある。特に、クイックズームスイッチがＶＴＲスイッチの近くに設けられていることから、ＶＴＲスイッチを押したつもりで誤ってクイックズームスイッチを押してしまうことが多く、このような誤操作に配慮する必要がある。
【０００６】
また、従来、ズーム最大速度調節ツマミ等によってズーム最大速度を設定できるように構成されているが、上述のクイックズームの動作速度もこの設定と連動しており、クイックズームの作動時においても、ズーム最大速度調節ツマミ等で設定された速度で動作するものであった。従って、ズーム最大速度がスローに設定してあると、クイックズームもスローで動作し、素早い操作ができないという欠点があった。
【０００７】
本発明はこのような事情に鑑みてなされたもので、シーソースイッチでズーミング中にクイックズームスイッチが操作されても、シーソースイッチでのズーミングをそのまま動作させることができ、また、クイックズーム作動時には、ズーム最大速度の設定によらず高速度で動作させることができる撮影レンズの駆動装置を提供することを目的とする。
【０００８】
【課題を解決するための手段】
本発明は前記目的を達成するために、ズーム駆動用モータによって撮影レンズの移動レンズ系を光軸に沿って前後に駆動してズーム動作を行う撮影レンズの駆動装置において、ズーム動作方向及びズームスピードの操作を行う第１の操作手段と、予め決められた所定のズームスピードにより前記撮影レンズの移動レンズ系をワイド端又はテレ端まで移動させるズーム動作の実行／解除操作を行う第２の操作手段と、第２の操作手段が実行操作された時点のズーム位置を記憶する記憶手段と、前記第２の操作手段の実行操作に基づいて前記撮影レンズの移動レンズ系をワイド端又はテレ端まで移動させる実行手段と、前記第２の操作手段の解除操作に基づいて撮影レンズの移動レンズ系を前記記憶手段で記憶したズーム位置に復帰させる復帰手段と、前記第１の操作手段の操作を前記第２の操作手段の操作よりも優先させる優先手段と、を備えたことを特徴としている。
【０００９】
本発明によれば、第１の操作手段を操作することで、その操作に応じたズームスピードで撮影レンズをテレ方向又はワイド方向にズーム動作させることができる。また、第２の操作手段を実行操作すると、その操作時点における現在のズーム位置が記憶手段に記憶されるとともに、撮影レンズが所定のズームスピードで所定のズーム動作方向（テレ端方向又はワイド端方向の何れか一方向）に動作する。そして、第２の操作手段の解除操作を行うと、記憶手段に記憶していたズーム位置（第２の操作手段を操作した時点のズーム位置）に所定のズームスピードで復帰するようになっている。
【００１０】
かかる２系統のズーム操作手段を有した撮影レンズの駆動装置において、特に、第１の操作手段を第２の操作手段の操作よりも優先させる優先手段が設けられ、第１の操作手段の操作及び前記前記第２の操作手段の操作が競合した場合に前記第１の操作手段の操作を優先させている。これにより、第１の操作手段の操作中に第２の操作手段が誤って操作されても、第２の操作手段の操作は無効となり、第１の操作手段の操作による動作が行われ、そのまま撮影を続けることができる。
【００１１】
本発明の他の態様によれば、更に、ズーム最大速度を設定する設定手段と、前記設定手段で設定されたズーム最大速度を上限として前記第１の操作手段の操作に応じてズームスピードを調整するとともに、前記第２の操作手段の実行／解除操作に基づくズーム動作時には前記設定手段の設定を解除して、前記所定のズームスピードでズーム動作させるようにズームスピードを調整するズーム速度調整手段と、を備えたことを特徴としている。
【００１２】
かかる構成によれば、第１の操作手段で操作中は、設定手段で設定されているズーム最大速度を上限として操作に応じたズームスピードで動作するが、第２の操作手段による動作（クイックズーム）時には、前記設定手段で設定してあるスピードを解除し、固有の設定スピード（所定のズームスピード）で動作する。これにより、第２の操作手段による素早いズーム操作が可能となる。
【００１３】
具体的には、第１の操作手段として、揺動自在なシーソースイッチを設け、シーソースイッチの操作方向によってズーム動作方向の操作を行うとともに、シーソースイッチの操作量によってズームスピードを操作するように構成し、第２の操作手段として、ボタン式スイッチを設け、ボタン式スイッチの押圧操作によって所定のズームスピードによるワイド端又はテレ端へのズーム動作を実行するとともに、ボタン式スイッチの押圧解除によって前記復帰手段による復帰動作が実行されるように構成することが考えられる。
【００１４】
また、装置の具体的な形態上、第２の操作手段に相当する操作部材を取り付けることが困難な場合等も想定されるので、第２の操作手段の操作部材を、リターンスイッチ（ＲＥＴ  ＳＷ）や録画スタートスイッチ（ＶＴＲ  ＳＷ）など、他の機能に関する操作部材で代用してもよい。この場合、同じ操作部材を第２の操作手段として使用するか、リターンスイッチ等の本来の機能として使用するかの何れかの状態に切り替えるための切替手段を設け、必要に応じて操作部材の機能を選択できるように構成する。
【００１５】
【発明の実施の形態】
以下添付図面に従って本発明に係る撮影レンズの駆動装置の好ましい実施の形態について詳説する。
図１は、本発明が適用されるテレビカメラ用ズームレンズ装置の外観平面図である。同図に示すテレビカメラ用ズームレンズ装置１は、ＥＮＧカメラ等の放送用テレビカメラに用いられるインナーフォーカス式ズームレンズであり、レンズ鏡胴２には、フォーカスリング４、ズームリング６及びアイリスリング８が設けられ、レンズ鏡胴２の後端部にはエクステンダ装置１０が設けられる。
【００１６】
また、レンズ鏡胴２の側部には前記フォーカスリング４、ズームリング６及びアイリスリング８を駆動するドライブユニット１２が設けられている。尚、符号１４はレンズフード、１５はレンズフード取付ツマミである。
レンズ鏡胴２の内部構成については、図示されていないが、周知の如く、鏡胴内には、前方から順に、固定フォーカスレンズ、移動フォーカスレンズ、変倍レンズ系（移動レンズ系に相当）、アイリス、及びリレーレンズ等が設けられ、その後方に、エクステンダーが配置される。そして、フォーカスリング４を回動することにより移動フォーカスレンズが光軸に沿って前後移動してフォーカス調整が行われ、ズームリング６を回動することにより、変倍レンズ系が光軸に沿って前後移動してズーム調整が行われる。また、アイリスリング８を回動することによりアイリスの絞り径が調整されるようになっている。
【００１７】
ドライブユニット１２はケース１８を有し、このケース１８はビス２０、２０を介してレンズ鏡胴２の側部に取り付けられる。ケース１８内には、図示せぬフォーカス駆動用モータが配置され、このフォーカス駆動用モータは、図示せぬギヤ伝達機構を介して前記フォーカスリング４を回転駆動する。また、ケース１８内には、ズーム駆動用モータ４０（図１中不図示）が配置され、このズーム駆動用モータ４０は、図示せぬギヤ伝達機構を介して前記ズームリング６を回転駆動する。
【００１８】
同様に、ケース１８内には、図示せぬアイリス駆動用モータが配置され、このアイリス駆動用モータは、図示せぬギヤ伝達機構を介して前記アイリスリング８を回転駆動することができるようになっている。
ケース１８の上面にはズームシーソーコントロールスイッチ２２（第１の操作手段に相当、以下、シーソースイッチと略記する。）、アイリスのオート／マニュアルモード切替スイッチ２４、アイリスモーメンタリースイッチ２５、リターンスイッチ２６等が設けられている。
【００１９】
シーソースイッチ２２は、中立位置を基準に揺動自在であり、該シーソースイッチ２２をテレ（Ｔ）側又はワイド（Ｗ）側に操作すると、前記ズームリング６がテレ側又はワイド側に回動するようになっている。また、シーソースイッチ２２の押し込み量（操作量）によってズームスピードを調整することができ、その押し込み量が大きいほどズームスピードは高速になる。
【００２０】
ケース１８の側面にはグリップバンド２８が設けられ、カメラマンはこのグリップバンド２８の中に右手（親指以外の４本の指）を挿入してレンズ鏡胴２を保持することができる。また、ケース１８の後面にはＶＴＲスイッチ３０及びクイックズームスイッチ３２が配設され（図２参照）、これらスイッチ３０、３２をカメラマンは右手の親指で操作できるようになっている。ＶＴＲスイッチ３０は、撮影中の映像をビデオテープに記録（録画）する際の録画開始／終了を操作するためのスイッチであり、押しボタンタイプで構成される。
【００２１】
クイックズームスイッチ３２も押しボタンタイプで構成され、詳しくは後述するが、このクイックズームスイッチ３２を押圧操作すると、その押圧操作中所定のズームスピード（高速）でテレ端に向かう方向に作動し、クイックズームスイッチ３２の押圧を解除すると元のズーム位置（クイックズームスイッチ３２を押圧操作した時点のズーム位置）に前記所定のズームスピードで復帰するように構成されている。
【００２２】
更に、ケース１８の後面には、ズーム最大スピード調節ツマミ３４が設けられ、このツマミ３４を回動操作することによって、シーソースイッチ２２を最も深く押し込み操作した場合のズームスピード（ズーム最大スピード）を適宜設定することができる。例えば、ズーム最大スピード調節ツマミ３４を図中時計回転方向に回すほどズーム最大スピードは高速に設定され、逆に、反時計回転方向に回すほどズーム最大スピードは低速に設定される。
【００２３】
尚、図１に示した符号３６はエクステンダー切替レバーであり、該レバー３６を回動操作することによって、２倍のエクステンダーを撮影光路中に挿脱することができるようになっている。
図３には、撮影レンズの駆動装置の回路構成の一例が示されている。図３中符号４０はズーム駆動用モータ、符号４２はシーソースイッチ２２に相当するポテンショメータ、符号４４は変倍レンズ系の位置（ズーム位置）を検出する為のポテンショメータ、符号４６はクイックズームスイッチ３２に相当する自動復帰式のスイッチ（以下、スイッチＳＷ１と示す。）である。
【００２４】
スイッチＳＷ1 の一方の端子４６Ａは、抵抗Ｒ1 を介して電圧端子（＋Ｖ1 ）に接続されるとともに、ノット（ＮＯＴ）ゲート４８の入力端子と接続される。ＮＯＴゲート４８の出力は３経路に分岐され、その１つは電磁継電器５０（以下、スイッチＳＷ2 と示す。）に導かれ、スイッチＳＷ2 の接点（常時開回路接点）の開閉を行うようになっている。
【００２５】
スイッチＳＷ2 の一方の端子５０Ａは電圧端子（＋Ｖ2 ）と接続されており、他方の端子５０Ｂは抵抗Ｒ2 を介して速度調整回路５２の入力端子に接続される。電圧端子（＋Ｖ2 ）の電圧は、撮影レンズをテレ方向に動作させるテレ信号（TELE SIG.)に相当しており、スイッチＳＷ1 が押されてスイッチＳＷ2 がＯＮした時には、この電圧端子（＋Ｖ2 ）からのテレ信号によってズーム駆動用モータ４０が駆動される。
【００２６】
前記ＮＯＴゲート４８の出力端子は他に入出力回路（例えば、アップカウンタ）５４の入力端子（CK）に接続され、該入出力回路５４の出力によって電磁継電器５６（以下、スイッチＳＷ3 と示す。）の接点（常時閉回路接点）の開閉を行うようになっている。
更に、前記ＮＯＴゲート４８の出力は第２のＮＯＴゲート５８を介して第２の入出力回路（例えば、アップカウンタ）６０の入力端子（CK）に導かれ、該入出力回路６０の出力によって電磁継電器６２（以下、スイッチＳＷ4 と示す。）の接点（常時開回路接点）の開閉を行うようになっている。
【００２７】
前記スイッチＳＷ1 の他方の端子４６Ｂは電磁継電器６４（以下、スイッチＳＷ5 と示す。）を介してグランドと接続される。
このスイッチＳＷ5 には、シーソースイッチ２２のポテンショメータ４２の出力信号がアンプ６６、コンパレータ６７及びＮＯＴゲート６８を介して導かれており、シーソースイッチ２２が操作されるとスイッチＳＷ5 の接点（常時閉回路接点）が開放（ＯＦＦ）するようになっている。これにより、シーソースイッチ２２の操作中にはスイッチＳＷ1 のＯＮ／ＯＦＦ操作が無効となり、シーソースイッチ２２の操作が優先される。
【００２８】
シーソースイッチ２２のポテンショメータ４２の出力は、前記アンプ６６及び抵抗Ｒ3 を介して速度調整回路５２の入力端子に導かれている。速度調整回路５２は、ズーム最大スピード調節ツマミ３４による最大速度の設定に基づいて、シーソースイッチ２２の操作量に応じたズームスピードを実現するモータ駆動信号を生成し、該モータ駆動信号をズーム駆動用モータ４０に与える。これにより、シーソースイッチ２２が操作された際には、設定されている最大スピードを上限として、シーソースイッチ２２の操作量に応じたズーム速度でズーム動作が行われる。
【００２９】
ズーム位置はポテンショメータ４４によって常時検出されており、該ポテンショメータの出力信号は直接、速度調整回路５２へと導かれる。そして、ポテンショメータ４４によってズーム位置がテレ端又はワイド端に到達したこことが検出されると、速度調整回路５２はズーム駆動用モータ４０を停止させるようになっている。
【００３０】
また、ズーム位置検出用のポテンショメータ４４の出力端子はスイッチＳＷ3 を介してコンデンサ（記憶手段に相当）７２の一方の電極端子と接続されている。このコンデンサ７２の他方の電極端子は電圧端子（＋Ｖ5 ）と接続されおり、スイッチＳＷ3 がＯＮの間、ポテンショメータ４４の出力電圧がコンデンサ７２に蓄積される。そして、スイッチＳＷ1 のＯＮ操作によってスイッチＳＷ3 がＯＦＦすることにより、コンデンサ７２にスイッチＳＷ1 のＯＮ操作時のズーム位置が記憶される。
【００３１】
スイッチＳＷ３の接点端子と接続されたコンデンサ７２の電極端子は差動アンプ７４の一方の入力端子に接続され、該差動アンプ７４の他方の入力端子には、ポテンショメータ４４の出力信号が直接導かれるようになっている。そして、差動アンプ７４の出力はスイッチＳＷ４、アンプ７６、及び抵抗Ｒ4 を介して速度調整回路５２の入力端子へと導かれる。
【００３２】
これにより、スイッチＳＷ1 の押圧が解除されてスイッチＳＷ4 がＯＮした時に、差動アンプ７４の差動出力に基づいてズーム駆動用モータ４０が駆動され、コンデンサ７２の記憶位置とポテンショメータ４４の検出位置とが一致したときにズーム駆動用モータ４０が停止するようになっている。こうして、スイッチＳＷ1 の押圧解除によって該スイッチＳＷ1 の押圧操作時の元のズーム位置に復帰する。
【００３３】
また、前記差動アンプ７４の出力端子はコンパレータ７８の入力端子に接続されており、該コンパレータ７８の出力端子は前記コンパレータ６７の出力端子とともにコンデンサ８０の電極端子に接続される。このコンデンサ８０の他方の電極端子は前記入出力回路５４、６０のクリア（リセット）端子（CLR ）に接続されており、コンパレータ７８の出力によって入出力回路５４、６０に同時にリセットをかけるようになっている。
【００３４】
即ち、シーソースイッチ２２の操作中、及び、クイックズームの復帰動作によってコンデンサ７２の記憶位置とポテンショメータの検出位置とが一致して復帰動作が完了した時に入出力回路５４、６０にリセットがかかるようになっている。
入出力回路５４、６０は、例えば、アップエッジ動作型のアップカウンタから成り、入力端子（CK）に加わる入力信号に応じた電圧信号を出力端子（Q ）に出力する。そして、クリア端子（CLR ）にリセット信号が加えられるとその出力が０になるように構成されている。
【００３５】
入出力回路５４の出力は速度調整回路５２にも導かれており、入出力回路５４からハイレベル（Ｈ）の出力信号が出力されている期間中は、速度調整回路５２においてズーム最大スピード調整ツマミ３４による最大速度の設定が解除され、所定のズーム速度（例えば、ズーム最大スピード調整ツマミで設定可能な最も大きい値と同等の速度）に設定される。
【００３６】
こうして、スイッチＳＷ1 の操作に伴うクイックズーム動作時、即ち、電圧端子（＋Ｖ2 ）からのテレ信号に基づくズーム動作時、及びコンデンサ７２に記憶したズーム位置への復帰動作時には、前記所定のズーム速度でズーム動作が行われる。
次に、上記の如く構成された撮影レンズの駆動装置の作用について説明する。
【００３７】
図４には、図３に示した各スイッチＳＷ1 乃至ＳＷ4 のタイミングチャートが示されている。通常の状態（未操作状態）においては、図３で説明したスイッチＳＷ1 はＯＦＦ、スイッチＳＷ2 はＯＦＦ、スイッチＳＷ3 はＯＮ、スイッチＳＷ4 はＯＦＦ、スイッチＳＷ5 はＯＦＦとなっている。
その後、シーソースイッチ２２を操作すると、その操作に応じたポテンショメータ４２の出力が速度調整回路５２に導かれ、ズーム駆動用モータ４０が駆動される。そして、ズーム最大スピード調節ツマミ３４で設定された最大スピードを上限として、シーソースイッチ２２の押し込み量に対応したズームスピードでズーム動作が実行される。この間、ポテンショメータ４４によってズーム位置を常時検出している。
【００３８】
また、シーソースイッチ２２を操作した時には、図３に示したスイッチＳＷ5 がＯＦＦとなるため、シーソースイッチ２２の操作中にスイッチＳＷ1 が押されてもＮＯＴゲート４８の出力は変化しない。即ち、シーソースイッチ２２の操作中にはスイッチＳＷ1 の押圧操作が無効になり、シーソースイッチ２２の操作が優先される。
【００３９】
シーソースイッチ２２の操作が解除されると、ズーム駆動用モータ４０が停止するとともに、スイッチＳＷ5 がＯＮ状態に戻る。
次いで、スイッチＳＷ1 を押圧操作すると、ＮＯＴゲート４８の出力がハイレベルとなり、スイッチＳＷ2 がＯＮするとともに、スイッチＳＷ3 がＯＦＦする（図４参照）。スイッチＳＷ3 がＯＦＦすることによって、コンデンサ７２にズーム位置（スイッチＳＷ1 を押圧操作した時点のズーム位置）が記憶され、スイッチＳＷ2 がＯＮすることによって、電圧端子（＋Ｖ2 ）からのテレ信号が速度調整回路５２に加えられる。
【００４０】
こうして、電圧端子（＋Ｖ2 ）のテレ信号に基づいて、撮影レンズがテレ端方向に動作する。このとき、ズーム最大スピード調整ツマミ３４によるスピード設定は解除され、クイックズーム用の所定のズームスピードで動作する。
スイッチＳＷ1 の押圧が解除され、スイッチＳＷ1 がＯＦＦすると、スイッチＳＷ2 がＯＦＦするとともに、スイッチＳＷ4 がＯＮする。これにより、差動アンプ７４の差動出力が速度調整回路５２に加えられ、該差動出力に基づいてズーム駆動用モータ４０が駆動され、撮影レンズがワイド方向に動作する。そして、ポテンショメータ４４の検出信号が前記コンデンサ７２に記憶したズーム位置の信号レベルと一致した時に入出力回路５４、６０にリセット信号が加わり、スイッチＳＷ4 がＯＦＦするとともに、スイッチＳＷ3 がＯＮとなる。こうして、ズームがコンデンサ７２に記憶した元のズーム位置に復帰した時に、クイックズーム機能が解除される。
【００４１】
尚、クイックズームスイッチ３２（スイッチＳＷ1 ）の押圧動作中、又は、クイックズームの復帰動作中にシーソースイッチ２２が操作されると、コンパレータ６７の出力によって入出力回路５４、６０にリセット信号が加わり、クイックズームが解除され、シーソースイッチ２２の操作が有効となる。
図５には、撮影レンズの駆動装置のクイックズーム動作の流れが示されている。クイックズームの動作においては、先ず、シーソースイッチ２２の操作の有無が判別され（ステップＳ１０１）、シーソースイッチ２２がＯＮの場合には、クイックズームは作動せず、シーソースイッチ２２の操作に応じたズーム動作が行われる。
【００４２】
他方、ステップＳ１０１においてシーソースイッチ２２がＯＦＦの場合には、次いでスイッチＳＷ1 の操作の有無が判別される（ステップＳ１０２）。スイッチＳＷ1 がＯＦＦの場合には、クイックズームは作動せず、スイッチＳＷ1 がＯＮの場合にクイックズームが作動する。
即ち、スイッチＳＷ1 が押された時点のズーム位置を検出してこれを記憶するとともに（ステップＳ１０４）、ズーム最大スピード調節ツマミ３４によるスピードの設定を解除し（ステップＳ１０６）、所定のズームスピードでテレ方向に作動させる。
【００４３】
そして、スイッチＳＷ1 がＯＦＦした時に（ステップＳ１１０）、ズームワイド方向に作動させる（ステップＳ１１２）。ステップＳ１０４で記憶したズーム位置（元のズーム位置）に到達するまで、ワイド方向へのズーム動作が続けられ（ステップＳ１１４）、撮影レンズが元のズーム位置に戻った時点でズーム動作が停止する。かかる復帰動作が完了するとズーム最大スピード調節ツマミ３４によるスピードの設定を有効に戻し（ステップＳ１１６）、クイックズーム動作が終了する。
【００４４】
尚、上述のステップＳ１０１とステップＳ１０２の処理の順序は入れ換えることができ、シーソースイッチ２２の操作の有無の判別に先立って、スイッチＳＷ1 の操作の有無を判別してもよい。
上記実施の形態では、クイックズームスイッチ３２の押圧操作によってテレ方向にズーム動作させる場合を説明したが、ワイド方向に動作させるようにしてもよい。
【００４５】
次に、本発明の第２の実施の形態について説明する。
図６には、本発明の第２の実施の形態に係る撮影レンズの駆動装置の構成が示されている。同図中図３と共通の部分には同一の符号を付し、その説明は省略する。
この駆動装置は、図３に示したスイッチＳＷ1 をＶＴＲスイッチ３０に相当するスイッチＳＷ1A（図６中符号８２）及びリターンスイッチ２６に相当するスイッチＳＷ1B（図６中符号８４）で代用するものである。図６に示されているように、符号６４で示したスイッチＳＷ5 の端子６４Ａには符号８６Ａ、８７Ａで示した可動接片を有する切替スイッチＳＷ6A、ＳＷ6Bを介してスイッチＳＷ1Aと、スイッチＳＷ1Bとがそれぞれ並列に接続されている。
【００４６】
前記切替スイッチＳＷ6A、ＳＷ6Bは、実際上一つのスライドスイッチ８８で構成され、図示せぬツマミ部材を滑らせることによって、各可動接片８６Ａ、８７Ａの接続先が切り替わり、スイッチＳＷ1A、ＳＷ1BがそれぞれＶＴＲスイッチ、及びリターンスイッチとして使用可能な第１の状態、スイッチＳＷ1Aをクイックズームスイッチとして使用し、スイッチＳＷ1Bをリターンスイッチとして使用可能な第２の状態、又はスイッチＳＷ1AをＶＴＲスイッチ、スイッチＳＷ1Bをクイックズームスイッチとしてそれぞれ使用可能な第３の状態の何れかの状態に択一的に設定できるようになっている。
【００４７】
尚、リターンスイッチ２６は、撮影者のテレビカメラのビューファインダーに、他のカメラマンが撮影した映像等（例えば、オンエア中の映像）を映し出す時に操作されるものであり、スタジオ等の室内で撮影する場合には頻繁に使用されるが、屋外で撮影する場合にはあまり使用されることは無い。逆に、ＶＴＲスイッチ３０は、スタジオ等で撮影する場合には使用されることが少ないのに対し、屋外で撮影する場合には頻繁に使用される。
【００４８】
かかる事情に着眼し、本実施の形態ではリターンスイッチ２６とＶＴＲスイッチ３０とをクイックズームスイッチとして兼用しているが、リターンスイッチ２６やＶＴＲスイッチ３０に限らず、その他の機能に関するスイッチ手段にクイックズームスイッチの機能を代用させてもよい。
上記の如く構成された撮影レンズの駆動装置において、スライドスイッチ８８のツマミ部材を操作して上述した第１の状態に設定すると、可動接片８６Ａ及び８７Ａがそれぞれ接点８６Ｂ、８７Ｂと接続され、スイッチＳＷ1Aの信号はＶＴＲ制御のオン−オフ信号として、図示せぬカメラ回路のＶＴＲ制御入力端子に導かれ、他方、スイッチＳＷ1Bの信号はリターン制御のオン−オフ信号として、図示せぬカメラ回路のリターン入力端子に導かれる。従って、この第１の状態が選択されると、各スイッチＳＷ1A、ＳＷ1Bはそれぞれ本来のＶＴＲスイッチ、或いはリターンスイッチとして機能する。
【００４９】
また、スライドスイッチ８８のツマミ部材を操作して第２の状態を選択すると、可動接片８６Ａが接点８６Ｃと接続されるとともに、可動接片８７Ａが接点８７Ｂと接続される。こうして、スイッチＳＷ1Bの信号はリターン制御のオン−オフ信号として図示せぬカメラ回路のリターン入力端子に導かれ、スイッチＳＷ1Aの信号はＶＴＲ制御回路と切り離されてクイックズームスイッチの信号として使用される。
【００５０】
従って、この状態ではスイッチＳＷ1Bはリターンスイッチとして機能し、スイッチＳＷ1Aがクイックズームスイッチとしての役割を果たすことになる。スタジオ等での撮影においては、この第２の状態を選択することが好ましい。
更にまた、スライドスイッチ８８のツマミ部材を操作して第３の状態を選択すると、可動接片８６Ａが接点８６Ｂと、可動接片８７Ａが接点８７Ｃとそれぞれ接続され、スイッチＳＷ1Aの信号はＶＴＲ制御のオン−オフ信号としてカメラ回路のＶＴＲ制御入力端子に導かれ、スイッチＳＷ1Bの信号はリターン制御回路と切り離されてクイックズームスイッチの信号として使用される。
【００５１】
従って、この状態では、スイッチＳＷ1AはそのままＶＴＲスイッチとして本来の機能を果たし、スイッチＳＷ1Bがクイックズームスイッチとしての役割を果たすことになる。例えば、屋外撮影では、この第３の状態を選択することが好ましい。
図６に示した形態では、装置の外観上スライドスイッチ８８に相当する部材を設けることになるが、その一方で図１に示したようなクイックズームスイッチ３２を省略することができる。スライドスイッチ８８は装置本体に比較的簡単に取り付けることができるので、図１のような専用のクイックズームスイッチ３２を設ける場合と比較して製作も容易で、コストも低いという利点がある。
【００５２】
【発明の効果】
以上説明したように本発明に係る撮影レンズの駆動装置によれば、ズーム動作方向及びズームスピードを指令操作する第１の操作手段と、所定のズームスピードによるテレ又はワイド方向へのズーム動作の実行／解除を操作する第２の操作手段とを有した撮影レンズの駆動装置において、特に、第１の操作手段を第２の操作手段の操作よりも優先させる優先手段を設けたので、第１の操作手段の操作中に第２の操作手段が誤って操作されても、第２の操作手段の操作は無効となり、第１の操作手段の操作による動作を続けることができる。これにより、第２の操作手段の誤操作による撮影を防止することができる。
【００５３】
更に、第２の操作手段の実行／解除操作に基づくズーム動作（クイックズーム）時にはズーム最大スピードの設定を解除し、固有の設定スピード（所定のズームスピード）で動作させるようにしたので、最大速度の設定に関わらず、第２の操作手段による素早いズーム操作が可能となる。
また、第２の操作手段の操作部材をリターンスイッチや録画スタートスイッチなどの他の機能に関する操作部材で代用し、これらの機能を切替手段によって適宜切り替えて使用する構成を採用すれば、装置の構成上、第２の操作手段専用の操作部材を省略することができ、製作の容易化、低コスト化を図ることができる。
【図面の簡単な説明】
【図１】本発明に係る撮影レンズの駆動装置が適用されるテレビカメラ用ズームレンズ装置の外観平面図
【図２】図１に示したテレビカメラ用ズームレンズ装置の背面図
【図３】撮影レンズの駆動装置の内部構成の一例を示す回路図
【図４】図３に示した回路図のタイミングチャート
【図５】クイックズームの動作の流れを示すフローチャート
【図６】本発明の第２の実施の形態を示す撮影レンズの駆動装置の回路図
【符号の説明】
１…テレビカメラ用ズームレンズ装置
２…レンズ鏡胴
６…ズームリング
１２…ドライブユニット
２２…ズームシーソーコントロールスイッチ（第１の操作手段）
２６…リターンスイッチ（他の機能に関するスイッチ手段）
３０…ＶＴＲスイッチ（他の機能に関するスイッチ手段）
３２…クイックズームスイッチ（第２の操作手段）
３４…ズーム最大スピード調節ツマミ（設定手段）
４０…ズーム駆動用モータ
４２…ポテンショメータ
４４…ズーム位置検出用のポテンショメータ
４６…スイッチＳＷ1 （第２の操作手段）
５２…速度調整回路（ズーム速度調整手段）
６４…電磁継電器（優先手段）
７２…コンデンサ（記憶手段）
７４…差動アンプ（復帰手段）
８８…スライドスイッチ（切替手段）
【図１】
0003941078.tif 000002
【図２】
0003941078.tif 000003
【図３】
0003941078.tif 000004
【図４】
0003941078.tif 000005
【図５】
0003941078.tif 000006
【図６】
0003941078.tif 000007